(57)【特許請求の範囲】
【請求項１】
前出し本体に多数のローラを架設し該多数のローラ上にある商品を商品取出部位側に移動させると共に、前記前出し本体にこれを前後方向に平行に分割する仕切り板を設け、前記商品の移動をガイドしてなる商品前出し機と、前記商品の幅寸法に合わせて前記仕切り板間距離を決め前記商品前出し機同士を連結し位置止めする位置決め固定機と、からなり、該位置決め固定機を前記商品前出し機に設けて一体構成としたことを特徴とする商品陳列ユニット。
【請求項２】
前記商品前出し機の前出し本体に多数のローラを前記商品取出部位側に傾斜させて架設してなる請求項１記載の商品陳列ユニット。
【請求項３】
前記商品前出し機の前出し本体に多数のローラをほぼ平行に架設し、使用時に前記前出し本体を前記商品取出部位側に傾斜させてなる請求項１記載の商品陳列ユニット。
【請求項４】
前記位置決め固定機は、前記仕切り板間距離を決める位置決めピッチ板を有する請求項１〜３のいずれか１項に記載の商品陳列ユニット。
【請求項５】
前記商品前出し機の商品取出部位側の仕切り板端部に少なくとも一個分の商品につき幅調節スペーサを設けて、前記商品前出し機同士を位置決めする請求項１〜４のいずれか１項に記載の商品陳列ユニット。
【発明の詳細な説明】
【０００１】
【発明の属する技術分野】
本発明は、主にコンビニエンスストアーやスーパー等の店内に設置されている商品陳列棚等に載置することにより用いられ、商品の自動前出しが容易な商品陳列ユニットに関する。
【０００２】
【従来の技術】
従来、コンビニエンスストアーやスーパー等では、図８に示す商品陳列ケース５０の各商品陳列棚５１に、多種類の商品５２が豊富に陳列されている。商品５２は手前の方から売れてゆくため、必然的に手前の部分が空くことになり、従って、奥にある商品５２を手前に出す所謂前出し作業が必要となる。この為、種々の自動又は半自動の前出し機能を備えた商品陳列棚又は商品陳列具が多数提案されている。例えば、収納ケース５３の底部に多数のローラ５４が商品陳列ケース５０の扉５５側に下り勾配となるように取り付けられた商品陳列ユニット５６がある（特開平８−２４０９１号公報参照）。この商品陳列ユニット５６は、商品５２に対して仕切り機能を有する側板５７、５７の幅寸法が決められているから、それに適合する商品５２のみが利用できる。従って、商品５２のサイズに合わせた複数種類の商品陳列ユニット５６を取り揃え、在庫管理しておく必要がある。
【０００３】
【発明が解決しようとする課題】
上記従来の商品陳列ユニット５６は、商品５２のサイズに合わせた複数種類のものを取り揃えておく必要があるから、その費用が高く管理も煩雑となりやすい。また、この商品陳列ユニット５６はサイズが決まっているから、商品陳列ケース５０内の各商品陳列棚５１の模様替えするときの自由度が低く、やりずらい。更に、ローラ５４は収納ケース５３の底部全面に多数配設されているから、商品陳列ケース５０の製作費用が高くなりがちである。
【０００４】
そこで、図９に示すように、自動前出しを維持しつつ、商品５５のサイズに合わせて、側板５７、５７間における幅寸法を決め、そのまま別体の位置決め固定機５８により商品前出し機５９を位置止め出来る商品陳列ユニット５６ａが考えられる。この商品陳列ユニット５６ａでは、商品５２のサイズに合わせて、側板５７、５７間における幅寸法を決めることが出来て都合が良い。しかしながら、この商品陳列ユニット５６ａは、商品前出し機５９以外に位置決め固定機５８が必要になり、また、商品陳列ケース５０の間口寸法は、各種ありまちまちであるから、その間口寸法に合った位置決め固定機５８が必要となり、位置決め固定機５８は代替え性が乏しく、結局、この商品陳列ユニット５６ａでは、商品陳列ケース５０内の各商品陳列棚５１の模様替えを支障なく行うために、商品前出し機５９以外に各種寸法の位置決め固定機５８が必要となって、その費用負担と在庫管理が必要となる。
【０００５】
従って、本発明の目的は、自動前出しを維持しつつ、商品のサイズに合わせて設定出来、模様替えが容易で、しかも在庫管理もほとんど必要なくかつ構造も簡単な商品陳列ユニットを提供することにある。
【０００６】
【課題を解決するための手段】
かかる状況において、本発明者は、鋭意検討を行った結果、前出し本体に多数のローラを架設し、更にこの前出し本体に仕切り板を設け多数のローラ上の商品の移動をガイドさせる商品前出し機を構成し、商品の幅寸法に合わせて仕切り板間距離を決め商品前出し機同士を連結し位置止めする位置決め固定機を、上記の商品前出し機に設けて一体構成の商品陳列ユニットにすれば、商品のサイズに合わせて仕切り板間距離を自由に設定出来、商品の種類数に応じて一体構成の商品陳列ユニットを順次追加して行けば良く、商品のサイズごとの商品陳列ユニットを多数在庫管理したり、寸法違いの位置決め固定機を在庫管理する必要もないことを見い出し、本発明を完成するに至った。
【０００７】
すなわち、本請求項１に係る発明は、前出し本体に多数のローラを架設し該多数のローラ上にある商品を商品取出部位側に移動させると共に、前記前出し本体にこれを軸方向に平行に分割する仕切り板を設け前記商品の移動をガイドしてなる商品前出し機と、前記商品の幅寸法に合わせて前記仕切り板間距離を決め前記商品前出し機同士を連結し位置止めする位置決め固定機と、からなり、該位置決め固定機を前記商品前出し機に設けて一体構成としたことを特徴とする商品陳列ユニットを提供するものである。かかる構成を採ることにより、商品前出し機と一体構成の位置決め固定機によって、商品前出し機同士を商品のサイズに合わせて連結し位置決め出来、その状態で商品陳列棚上に載置し、その際商品前出し機の商品取出部位側を商品陳列棚の扉側に来るようにして、商品前出し機の多数のローラ上に商品を置けば、商品取出部位まで自動前出し出来、商品や商品陳列棚のサイズに関係無く商品陳列棚上の模様替えが出来る。
【０００８】
また、本請求項２に係る発明は、前記商品前出し機の前出し本体に多数のローラを前記商品取出部位側に傾斜させて架設してなる商品陳列ユニットを提供するものである。かかる構成を採ることにより、上記機能に加え、多数のローラの傾斜角が予め設定されているから、そのまま商品陳列棚等の上に載置すれば、多数のローラ上の商品をその自重に由来して常時働く分力により、商品を商品取出部位側に移動させ得る。
【０００９】
また、本請求項３に係る発明は、前記商品前出し機の前出し本体に多数のローラをほぼ平行に架設し、使用時に前記前出し本体を前記商品取出部位側に傾斜させてなる商品陳列ユニットを提供するものである。かかる構成を採ることにより、多数のローラの傾斜角を商品の状況に応じて自由に設定出来、その設定状態のまま商品陳列棚等の上に載置すれば、多数のローラ上の商品をその状況に応じて、上記常時働く分力により、商品を商品取出部位側に移動させ得る。
【００１０】
また、本請求項４に係る発明は、前記位置決め固定機は、前記仕切り板間距離を決める位置決めピッチ板を有する商品陳列ユニットを提供するものである。かかる構成を採ることにより、商品前出し機と一体構成の位置決め固定機によって、商品前出し機同士を商品のサイズに合わせて、その位置決めピッチ板により、確実に連結し位置決め出来る。
【００１１】
また、本請求項５に係る発明は、前記商品前出し機の商品取出部位側の仕切り板端部に少なくとも一個分の商品につき幅調節スペーサを設けて、前記商品前出し機同士を位置決めする商品陳列ユニット提供するものである。かかる構成を採ることにより、商品前出し機の仕切り板に設けられた幅調節スペーサで商品を軽く当て、仕切り板間距離を決めその状態で商品前出し機同士を位置決め固定機により連結し位置決めするだけで、円滑な自動前出しに最適な位置決めが出来る。
【００１２】
【発明の実施の形態】
以下、実施の形態をあげて本発明を図１〜７に基づいて詳述する。
図１は本発明の実施形態である商品陳列ユニットの組立状態を示す斜視図、図図２は本発明の実施形態である商品陳列ユニットの使用状態を示す斜視図、図３は本発明の実施形態である商品陳列ユニットの要部を示す斜視図である。図において、商品陳列ユニット１は、前出し本体２に多数のローラ３を架設し該多数のローラ３上にある商品４を商品取出部位Ａ側に移動させると共に、前出し本体２にこれを前後方向に平行に分割する仕切り板５を設け商品４の移動をガイドしてなる商品前出し機６と、商品４の幅寸法に合わせて仕切り板５間距離を決め商品前出し機６同士を連結し位置止めする位置決め固定機７と、からなり、該位置決め固定機７を商品前出し機６に取り付けて一体構成としたものである。
【００１３】
前記前出し本体２は、商品取出部位Ａに近づくに従い幅狭くなっている細長い２枚の側板１０、１１の両端に商品取出部位Ａに位置する側板１２及びその反対側の側板１３が取り付けられてなり、これら２枚の側板１０、１１の上端面が側板１３から側板１２に向けて下り勾配になっている。この側板１０の下端面には、前記位置決め固定機７が嵌められる凹溝１４が刻まれ、この凹溝１４間には凸部１４ａがある。この前出し本体２には、前述のように、仕切り板５が設けられているが、この仕切り板５は前出し本体２の軸方向に平行に２等分割でなく、図１、２中左側に片寄って分割されている。
【００１４】
そして、この仕切り板５と側板１０との間及び仕切り板５と側板１１との間に多数のローラ３が商品取出部位Ａ側に下り勾配となっている側板１０、１１の上端面に沿って回転自在に架設されている。従って、多数のローラ３上の前記商品４は、その自重に起因して常時働く分力により、商品取出部位Ａ側に移動する。
なお、図２において、２０は止め板で、この止め板２０は商品取出部位Ａに近在して商品４の倒れ及び落下防止用のもので、保持具２１により支持される。
【００１５】
また、前記商品取出部位Ａに位置する仕切り板５端部には幅調節スペーサ１５が一体に形成され、この幅調節スペーサ１５は、仕切り板５端部に少なくとも一個分の商品４につき設けられている。これは、商品４の種類によりその寸法が異なるから、仕切り板５間の最適距離を決め、商品前出し機６同士の位置決めするのに、幅調節スペーサ１５同士で一個の商品４を挟めなければならない、ことによる。更に、この幅調節スペーサ１５の厚みは、これが無い仕切り板５間において、商品４との間にどの程度の余裕があれば、多数のローラ３上の商品４が最もスムーズに商品取出部位Ａ側に移動するかにより、決定される。すなわち、幅調節スペーサ１５の厚みは、各種商品についての実験及び経験則に基づき決定される。なお、図４に示すように、幅調節スペーサ１５ａは、前記仕切り板５端部に着脱自在であっても良い。このような幅調節スペーサ１５ａであると、幅調節機能の無い商品前出し機６ａにも幅調節機能を付与出来て都合が良い。
【００１６】
前記位置決め固定機７は、水平板１６に矩形切欠１７が設けられ、この矩形切欠１７には掛け部１８があり、この位置決め固定機７は商品前出し機６の前出し本体２の細長い側板１１に一体形成で取り付けられている。位置決め固定機７の水平板１６及び矩形切欠１７は、前記前出し本体２の側板１０の下端面に設けられた凹溝１４に嵌めることが出来、掛け部１８は凹溝１４間にある凸部１４ａに引っ掛けることが出来て、商品前出し機６間に置くことが出来る商品４の最大幅を規定している。
【００１７】
次に、上記構成になる商品陳列ユニット１の使用方法を説明する。
まず、商品前出し機６の側板１１に位置決め固定機７を取り付けて一体に構成した、必要数の商品陳列ユニット１を用意する。すなわち、幅調節スペーサ１５が一体に形成された少なくとも２以上の商品陳列ユニット１を用意するか、あるいは幅調節機能の無い商品前出し機６ａを含む商品陳列ユニット１と、着脱自在の幅調節スペーサ１５ａとを用意する。次に、図８に示す商品陳列棚５１に２つ以上の商品陳列ユニット１を載置収納し、その際商品前出し機６をその側板１２が扉５５側に来るようにする。図４の商品前出し機６ａの場合は仕切り板５端部に幅調節スペーサ１５ａを嵌めれば、商品前出し機６と同様になる。そして、一の商品前出し機６に他の商品前出し機６の位置決め固定機７を嵌め、２つの商品前出し機６の幅調節スペーサ１５間の多数のローラ３上に商品４を置き、位置決め固定機７に嵌められた２つの商品前出し機６を移動させ、幅調節スペーサ１５にて商品４を軽く当てた状態にするだけで、簡単に位置決め出来、２つの商品前出し機６を連結し位置止めすることが出来る。更に商品４を並べたい場合には、商品陳列ユニット１を順次追加して、上記と同じ作業をすれば良い。この状態で商品４を取り出すと、図５に示すように、各幅調節スペーサ１５間の幅寸法Ｘは商品４の幅寸法Ｙとほぼ等しく、各仕切り板５間の幅寸法Ｚは商品４の幅寸法Ｙより程よく大きく（Ｘ≒Ｙ＜Ｚ）、仕切り板５間距離が自動前出しに最適に設定されているから、後に続く商品４は幅調節スペーサ１５の無い仕切り板５にガイドされ、先頭の商品４が前記止め板２０に当たるまで移動する。
【００１８】
図６は本発明の他の実施形態である商品陳列ユニット１ａを示し、図１〜５に示す商品陳列ユニット１との相違点は、商品前出し機６ｂの前出し本体２ａに多数のローラ３をほぼ平行に設け、使用の際前出し本体２ａを商品取出部位Ａ側に傾斜させ、従って、多数のローラ３の傾斜角を商品４の状況に応じて自由に設定出来、そのまま図８に示す商品陳列棚５１等の上に載置すれば、多数のローラ３上の商品４をその状況に応じて、その商品４の自重に由来して常時働く分力により、商品４を商品取出部位Ａ側に移動させること出来る点にある。その他の構成、作用は図１〜５に示す商品陳列ユニット１と同様なので、図面に符号を付してその説明を省略する。
【００１９】
図７は本発明の他の実施形態の商品陳列ユニット１ｂを示し、図１〜５に示す商品陳列ユニット１との相違点は、位置決め固定機７ａが仕切り板５間距離を決める位置決めピッチ板１９を有し、これのピッチ１９ａにより、商品前出し機６ｃと一体構成の位置決め固定機７ａによって、商品前出し機６ｃ同士を商品４のサイズに合わせて、その位置決めピッチ板１９のピッチ１９ａに凹溝１４の突起（不図示）を嵌めるから、確実に連結し位置決め出来る点にある。なお、この商品陳列ユニット１ｂには幅調節スペーサ１５が無いが、これは位置決めピッチ板１９のピッチ１９ａにより、仕切り板５間距離を決めるため、必要無いからである。その他の構成、作用は図１〜５に示す商品陳列ユニット１と同様なので、図面に符号を付してその説明を省略する。
【００２０】
以上、本発明の実施形態を説明したが、具体的な構成はこれに限定されず、本発明の要旨を逸脱しない範囲での変更、追加は本発明の範囲内である。
【００２１】
【発明の効果】
以上詳述したように、請求項１の発明によれば、商品前出し機と一体構成の位置決め固定機によって、一体構成の商品前出し機同士を商品のサイズに合わせて連結し位置決め出来、その状態で商品陳列棚上に載置し、その際商品前出し機の商品取出部位側を商品陳列棚の扉側に来るようにして、商品前出し機の多数のローラ上に商品を置けば、一体構成の商品前出し機及び位置決め固定機により、商品の自動前出しを維持出来しつつ、商品のサイズに関係無く商品陳列棚上の模様替えが出来る。従って、商品サイズに係わりなく自動前出しが出来、各種商品サイズに合わせた商品前出し機の在庫が必要ないのは無論のこと、商品のサイズに制約されないで容易に模様替えが出来、しかも構造簡単な一体構成品のため在庫管理もほとんど必要ない。
【００２２】
請求項２の発明によれば、多数のローラの傾斜角が予め設定されているから、そのまま商品陳列棚等の上に載置すれば、多数のローラ上の商品をその自重に由来して常時働く分力により、商品を商品取出部位側に移動させ得る。従って、上記効果に加え、多数のローラ上の商品を商品取出部位まで確実に移動させることが出来る。
【００２３】
請求項３の発明によれば、多数のローラの傾斜角を商品の状況に応じて自由に設定出来、その設定状態のまま商品陳列棚等の上に載置すれば、多数のローラ上の商品をその状況に応じて、上記常時働く分力により、商品を商品取出部位側に移動させ得る。従って、上記効果に加え、商品の状況にほとんど影響されずに、多数のローラ上の商品を商品取出部位まで確実に移動させることが出来る。
【００２４】
請求項４の発明によれば、商品前出し機と一体構成の位置決め固定機によって、一体構成の商品前出し機同士を商品のサイズに合わせて、その位置決めピッチ板により、確実に連結し位置決め出来る。従って、上記効果に加え、一度、連結位置決めした一体構成の商品前出し機同士が離れて、その位置決め状態が崩れるようなことがほとんど無くなる。
【００２５】
請求項５の発明によれば、商品前出し機の仕切り板に設けられた幅調節スペーサで商品を軽く当て、仕切り板間距離を決めその状態で商品前出し機同士を位置決め固定機により連結位置決めするだけで、円滑な自動前出しに最適な位置決めが出来る。従って、上記効果に加え、商品サイズに合わせて最適な商品前出し機の位置決めが容易に出来、商品に傷など付けずスムーズかつ確実な自動前出しが出来、広すぎる位置決めが無くなって商品陳列ケース等の有効利用が出来る。
【図面の簡単な説明】
【図１】本発明の実施形態である商品陳列ユニットの組立状態を示す斜視図。
【図２】本発明の実施形態である商品陳列ユニットの使用状態を示す斜視図。
【図３】本発明の実施形態である商品陳列ユニットの一部を示す斜視図。
【図４】本発明の実施形態である商品陳列ユニットの他の一部を示す斜視図。
【図５】本発明の実施形態である商品陳列ユニットの使用状態を示す平面図。
【図６】本発明の他の実施形態である商品陳列ユニットの組立状態を示す斜視図。
【図７】本発明の他の実施形態である商品陳列ユニットの組立状態を示す斜視図。
【図８】従来例を示す斜視図。
【図９】従来例を示す斜視図。
【符号の説明】
１、１ａ、１ｂ、５６、５６ａ    商品陳列ユニット
２、２ａ                前出し本体
３                      ローラ
４                      商品
５                      仕切り板
６、６ａ、６ｂ、６ｃ、５９    商品前出し機
７、７ａ、５８          位置決め固定機
１０、１１、１２、１３、５７    側板
１４                    凹溝
１４ａ                  凸部
１５、１５ａ            幅調節スペーサ
１６                    水平板
１７                    矩形切欠
１８                    掛け部
１９                    位置決めピッチ板
１９ａ                  ピッチ
２０                    止め板
２１                    保持具
５０                    商品陳列ケース
５１                    商品陳列棚
５３                    収納ケース
５５                    扉
【図１】
0004042930.tif 000002
【図２】
0004042930.tif 000003
【図３】
0004042930.tif 000004
【図４】
0004042930.tif 000005
【図５】
0004042930.tif 000006
【図６】
0004042930.tif 000007
【図７】
0004042930.tif 000008
【図８】
0004042930.tif 000009
【図９】
0004042930.tif 000010